(57)【要約】【課題】  電話機用送受話器において、補聴器を装着した状態で、受話内容が周囲にいる第三者に聞き取られるようなことがなく、かつ受話の音量を低下させることなく補聴器を装着した本人にとっては聞き取り易くする。【解決手段】  受話部６の正面部７に第１の音声放出口１４が設けられ、受話部６の上面部１１に補聴器を使用する人のための第２の音声放出口１６が設けられている。第１の音声放出口１４に対向して第１のスピーカ２０が設けられ、第２の音声放出口１６に対向して第２のスピーカ２７が設けられている。第１のスピーカ２０と第２のスピーカ２７とは、切替スイッチ３０によって作動が切り替えられるように構成されている。【選択図】  図４
2008193488.tif 000002
【特許請求の範囲】
【請求項１】
第１のスピーカから放出される音を外部に放出する第１の音声放出口を有する受話部を備えた送受話器において、前記受話部に、第２のスピーカを設けるとともに、この第２のスピーカから放出される音を外部に放出する第２の音声放出口を設け、前記第１のスピーカと前記第２のスピーカとの少なくともいずれか一方を作動させる切替スイッチを備えたことを特徴とする電話機用送受話器。
【請求項２】
前記第２の音声放出口を、前記受話部を構成する囲い壁の上面部に設け、前記切替スイッチを、前記受話部と前記送話部との間に位置する握り部の正面部に設けたことを特徴とする請求項１記載の電話機用送受話器。
【発明の詳細な説明】
【技術分野】
【０００１】
本発明は、耳掛け型補聴器を装着したまま使用できる電話機用送受話器に関するものである。
【背景技術】
【０００２】
通常、送受話器を使って通話を行うときは、受話部の音声放出口を耳穴に対向させるようにして受話部を耳に押し当て耳全体を受話部によって覆っている。ところが、耳掛け型補聴器（以下、単に補聴器という）を装着している利用者にとっては、補聴器の音取入れ口が耳の上部に位置しているため、補聴器の音取入れ口と受話部の音声放出口とが一致しなくなるため、音声放出口から放出される音が聞き取りにくいという問題があった。
【０００３】
この問題を解決したものとして、送話部および受話部とこれらを連結する握り部とからなり、握り部にイヤホンを設けるとともに受話部を握り部から分離可能とした送受話器が提案されている。この送受話器では、受話部を分離すると握り部に音声放出穴が形成されることによって、この音声放出穴から送受話器の外部に放出される音を補聴器の音取り入れ口で集音している（例えば、特許文献１参照）。
【特許文献１】特開２００３−８７３８０号公報（段落「００１１」〜「００１６」、図１）
【発明の開示】
【発明が解決しようとする課題】
【０００４】
上述した従来の送受話器においては、受話音を補聴器の音取り入れ口から取り入れる以前に、一旦受話音を音声放出穴から送受話器の外部に放出する構造を採っているため、受話内容が周囲にいる第三者に聞き取られるという問題があった。また、一旦受話音を送受話器外に放出する構造であるため、受話音が周囲に拡散した後に補聴器の音取り入れ口から取り入れるために受話音の音量が低下したり、周囲の雑音が音取り入れ口から取り入れられたりするおそれもあり、受話音が聞き取りにくくなるという問題もあった。
【０００５】
本発明は上記した従来の問題に鑑みなされたものであり、その目的とするところは、補聴器を装着した状態で、受話内容が周囲にいる第三者に聞き取られるようなことがなく、かつ受話の音量を低下させることなく補聴器を装着した本人にとっては聞き取り易くした送受話器を提供するところにある。
【課題を解決するための手段】
【０００６】
この目的を達成するために、請求項１に係る発明は、第１のスピーカから放出される音を外部に放出する第１の音声放出口を有する受話部を備えた送受話器において、前記受話部に、第２のスピーカを設けるとともに、この第２のスピーカから放出される音を外部に放出する第２の音声放出口を設け、前記第１のスピーカと前記第２のスピーカとの少なくともいずれか一方を作動させる切替スイッチを備えたものである。
【０００７】
請求項２に係る発明は、請求項１に係る発明において、前記第２の音声放出口を、前記受話部を構成する囲い壁の上面部に設け、前記切替スイッチを、前記受話部と前記送話部との間に位置する握り部の正面部に設けたものである。
【発明の効果】
【０００８】
請求項１に係る発明によれば、第２の音声放出口を補聴器の音取入れ口に指向させることができるために、第２の音声放出口から放出された受話音が周囲に漏洩することがないから、補聴器を装着した状態で受話内容が周囲にいる第三者に聞き取られるようなことがない。また、第２の音声放出口から放出された音が周囲に漏洩することがないため、補聴器の音取入れ口に取り入れられる受話音の音量が低下することがなく受話内容が聞き取り易くなる。
【０００９】
請求項２に係る発明によれば、送受話器を左右のいずれの手によって把持していても、その把持した手によって切替スイッチを操作することが可能になるため使い勝手が向上する。また、切替スイッチが設けられているにもかかわらず、切替スイッチが殆ど外部に露呈することがないから送受話器の外観を損なうようなことがない。
【発明を実施するための最良の形態】
【００１０】
以下、本発明の実施の形態を図に基づいて説明する。図１は本発明に係る送受話器の正面図、図２は同じく側面図、図３は同じく平面図、図４は図１におけるIV-IV 線断面図、図５は図４におけるV 矢視図、図６は同じく補聴器を耳に装着した状態を示す斜視図である。
【００１１】
図２に全体を符号１で示す送受話器は、共に一方の面が開口されプラスチックによって浅底状に形成されたフロントケース２とリアーケース３とによって構成されており、これら両ケース２，３の互いの開口を対向させるようにして、ねじ４（図４参照）で両ケース２，３を結合することによって送受話器１が形成されている。
【００１２】
フロントケース２の一端部には、図１に示すように平面視略矩形状に形成された送話部５が設けられており、他端部には平面視略矩形状に形成された受話部６が設けられている。受話部６は、正面部７と、この正面部７を囲むように正面部７の周縁から一体に立設された囲い壁８とによって構成されており、囲い壁８は、左右の側面部９，１０と上面部１１と下面部１２とによって形成されている。
【００１３】
受話部６の正面部７には、図１に示すように細溝状に形成された３個の孔１３からなる第１の音声放出口１４が設けられており、上面部１１には、図３に示すように細溝状に形成された３個の孔１５からなる第２の音声放出口１６が設けられている。図４において、１７は第１のプリント配線板であって、第１の音声放出口１４に対向するように、正面部７の裏面側に一体に突設されたスタッド１８に取り付けられている。
【００１４】
１９は第１のスピーカ２０を第１のプリント配線板１７に固定するための弾性材からなる遮音体であって、第１のプリント配線板１７と正面部７との間に介在するように第１のプリント配線板１７に取り付けられており、第１のスピーカ２０から放出される音を第１の音声放出口１４に導く空間２１が設けられている。
【００１５】
２２は第２のプリント配線板であって、第２の音声放出口１６に対向するように、正面部７と上面部１１との裏面側に一体に突設された支持体２３と、リアーケース３の裏面側に一体に突設された支持体２４とによって挟持されており、第１のプリント配線板１７とはケーブル２５を介して電気的に接続されている。２６は第２のスピーカ２７を第２のプリント配線板２２に固定するための弾性材からなる遮音体であって、第２のプリント配線板２２と側板９との間に介在するように第２のプリント配線板２２に取り付けられており、第２のスピーカ２７から放出される音を第２の音声放出口１６に導く空間２８が設けられている。
【００１６】
図５において、３０はホルダー３１を介して第１のプリント配線板１７に取り付けられた切替スイッチであって、図２に示すように操作部３２が受話部６の左側面部９に設けられた孔３３に臨んでいる。操作部３２は、孔３３内を左右に第１ないし第３の三位置３３ａ，３３ｂ，３３ｃに移動自在であって、第１の位置３３ａに位置させると第１のスピーカ２０が作動可能となり、第３の位置３３ｃに位置させると第２のスピーカ２７が作動可能となり、第２の位置３３ｂに位置させると第１および第２のスピーカ２０，２７が作動可能となる。
【００１７】
次に、図６を用いて補聴器を耳に装着した状態を説明する。同図において、符号３５で示すものは耳であって、この耳３５に装着された補聴器３６には、周囲の音を補聴器３６内に取り入れ補聴器３６内に設けられたマイクロホン（図示せず）に集音するための音取入れ口３７が設けられている。この音取入れ口３７は、補聴器３６を耳３５に装着した状態で耳３５の上部に位置付けられる。３８は先端に耳穴に差し込むためのイヤホン３９が設けられたフックであって、マイクロホンに集音され増幅された音がフック３８内に設けられた音道（図示せず）を通ってイヤホン３９から耳３５に伝達される。
【００１８】
次に、上記のように構成された送受話器１の使用方法について説明する。先ず、補聴器を必要としない人が使用する場合について説明する。この場合は、図２において、操作部３２を第１の位置３３ａに位置させる。この状態では、第１のスピーカ２０のみが作動可能となるため、受話部６の第１の音声放出口１４を耳穴に対向させるように受話部６の正面部７を耳に当て、正面部７によって耳全体を囲繞するようにして受話を行う。したがって、耳穴に対向した第１の音声放出口１４から放出される第１のスピーカ２０の音が耳に伝達される。
【００１９】
次に、耳３５に補聴器３６を装着した人が送受話器１を使用する場合について説明する。この場合は、図２において、操作部３２を第３の位置３３ｃに位置付け、第２のスピーカ２７のみを作動可能とする。この状態で、受話部６の第１の音声放出口１４を耳穴に対向させるように受話部６の正面部７を耳３５に当てることによって、受話部６の第２の音声放出口１６が補聴器３６の音取入れ口３７を指向する。したがって、第２のスピーカ２７から放出される音は、第２の音声放出口１６から補聴器３６の音取り入れ口３７に取り入れられる。
【００２０】
このように、第２の音声放出口１６を補聴器３６の音取入れ口３７に指向させることができることにより、第２の音声放出口１６から放出された音が周囲に漏洩することがないから、補聴器３６を装着した状態で受話内容が周囲にいる第三者に聞き取られるようなことがない。また、第２の音声放出口１６から放出された受話音が周囲に漏洩することがないから、補聴器３６の音取入れ口３７に取り入れられる受話音の音量が低下することがなく受話内容が聞き取り易くなる。
【００２１】
ここで、耳３５に補聴器３６を装着した人が送受話器１を使用する場合において、前記第２のスピーカ２７から放出される音のみでは補聴器を介して聞き取りにくい場合は、図２において、操作部３２を第２の位置３３ｂに位置付け、第１のスピーカ２０も作動させるようにしてもよい。
【００２２】
図７は本発明の第２の実施の形態を示す送受話器の正面図である。この第２の実施の形態においては、切替スイッチ４１を、送受話器１の送話部５と受話部６との間に位置する握り部４０の正面部４０ａの略中央部に設けた点と、この切替スイッチ４１を、押圧操作によって切り替えるプッシュ型のスイッチとした点に特徴を有する。
【００２３】
このように、切替スイッチ４１が握り部４０の正面部４０ａに設けられていることにより、握り部４０を左右のいずれの手によって把持していても、把持した手によって切替スイッチ４１を操作することが可能になるため使い勝手が向上する。また、切替スイッチ４１が握り部４０の正面部４０ａに設けられていることにより、送受話器１を使用していないときは、送受話器１が電話機本体に載置されて切替スイッチ４１が電話機本体の送受話器載置部に対向するため、切替スイッチ４１が外部に露呈することがない。また、送受話器１を使用しているときは、握り部４０の正面部４０ａが使用者の顔に対向するため、切替スイッチ４１が露呈することがない。このように、切替スイッチ４１を設けているにもかかわらず、切替スイッチ４１が殆ど外部に露呈することがないから、切替スイッチ４１によって送受話器の外観を損なうようなことがない。
【００２４】
なお、本実施の形態においては、第２の音声放出口１６を受話部６の上面部１１に設けたが、必ずしもこの位置に限定されるということではなく、要は第１の音声放出口１４を耳穴に指向させた状態で、補聴器の種類に応じて第２の音声放出口１６をその補聴器の音取り入れ口に指向させる位置に設ければよい。
【図面の簡単な説明】
【００２５】
【図１】本発明に係る送受話器の正面図である。
【図２】本発明に係る送受話器の側面図である。
【図３】本発明に係る送受話器の平面図である。
【図４】図１におけるIV-IV 線断面図である。
【図５】図４におけるV 矢視図である。
【図６】本発明に係る送受話器を使用する際に、補聴器を耳に装着した状態を示す斜視図である。
【図７】本発明の第２の実施の形態を示す送受話器の正面図である。
【符号の説明】
【００２６】
１…送受話器、６…受話部、１４…第１の音声放出口、１６…第２の音声放出口、２０…第１のスピーカ、２７…第２のスピーカ、３０，４１…切替スイッチ、３２…操作部、３５…耳、３６…補聴器、３７…音取入れ口、４０…握り部、４０ａ…正面部。
【図１】
2008193488.tif 000003
【図２】
2008193488.tif 000004
【図３】
2008193488.tif 000005
【図４】
2008193488.tif 000006
【図５】
2008193488.tif 000007
【図６】
2008193488.tif 000008
【図７】
2008193488.tif 000009